(57)【要約】【課題】  非接触券の使用履歴が容易に入手できるようにする。【解決手段】  自動券売機の本体を非接触券の使用履歴を出力するモードに設定するモード設定手段と、前記自動券売機の本体が非接触券の使用履歴を出力するモードに設定されたときに、その非接触券の使用履歴をプリントアウトして出力するか又は通信回線を介して配信するかを選択する選択手段と、前記非接触券の使用履歴をプリントアウトして出力することが選択されたときに、その非接触券の使用履歴をプリントアウトするプリントアウト手段と、前記非接触券の使用履歴を通信回線を介して配信することが選択されたときに、その非接触券の使用履歴を通信回線を介して配信する配信手段とを有する。【選択図】      図３
2005173692.tif 000002
【特許請求の範囲】
【請求項１】
自動券売機の本体を非接触券の使用履歴を出力するモードに設定するモード設定手段と、
前記自動券売機の本体が非接触券の使用履歴を出力するモードに設定されたときに、その非接触券の使用履歴をプリントアウトして出力するか又は通信回線を介して配信するかを選択する選択手段と、
前記非接触券の使用履歴をプリントアウトして出力することが選択されたときに、その非接触券の使用履歴をプリントアウトするプリントアウト手段と、
前記非接触券の使用履歴を通信回線を介して配信することが選択されたときに、その非接触券の使用履歴を通信回線を介して配信する配信手段と、
を有することを特徴とする券売機システム。
【請求項２】
請求項１に記載の券売機システムにおいて、非接触券の使用履歴を通信回線を介して行われる配信は、登録された通信日が到来したときに行われるものであることを特徴とする券売機システム。
【請求項３】
請求項１又は２に記載の券売機システムにおいて、非接触券の使用履歴のデータは、自動券売機の本体を管理する上位装置に記憶されるものであることを特徴とする券売機システム。
【請求項４】
請求項１〜３のいずれかに記載の券売機システムにおいて、非接触券の使用履歴を通信回線を介して行う配信先は、携帯電話機であることを特徴とする券売機システム。
【発明の詳細な説明】
【技術分野】
【０００１】
本発明は、券売機システムに係り、特に、非接触券の使用履歴を効率よく、かつ、容易に出力できるようにした券売機システムに関する。
【背景技術】
【０００２】
近年、利用者（旅客）の利便向上を図るために乗車券を自動改札機に投入することなく入出場（入場又は出場を意味している。）できる非接触式自動改札機が使用されるようになってきている。この非接触式自動改札機で使用される乗車券は、無線通信機能を備えたＩＣカードからなるので、従来の磁気券と比べて格段に記憶容量が大きく、定期券データの他にストアードフェアデータ（ＳＦデータ）を持たせることができ、定期券の有効区間外や有効期間外にそのＳＦデータを用いて入出場できるようになってきている。
【０００３】
また、上記非接触券は、従来の磁気券のように自動改札機内に投入されず、したがって、非接触券の券面に使用履歴を印字することができないので、本出願人は、非接触券の使用履歴を通信回線を介して端末機で出力できるようにした鉄道利用管理システムを提案している（特許文献１参照）。
【特許文献１】特開２００２−１１７４２１号公報
【発明の開示】
【発明が解決しようとする課題】
【０００４】
しかしながら、上記提案に係る鉄道利用管理システムは、中央データ処理装置に端末装置を接続して非接触券の使用履歴を出力できるという特長を有しているが、利用者は、駅に設置されている自動券売機及び自己の所持している携帯電話機を利用して手軽に非接触券の使用履歴を知ることができるようにすることが望まれていた。
【０００５】
そこで、本発明は、上記要望に応えるためになされたものであって、その目的は、駅に設置されている自動券売機を利用して非接触券の使用履歴を容易に出力できるようにした券売機システムを提供することにある。
【課題を解決するための手段】
【０００６】
本発明に係る券売機システムは、上記目的を達成するために、請求項１に記載の発明は、自動券売機の本体を非接触券の使用履歴を出力するモードに設定するモード設定手段と、前記自動券売機の本体が非接触券の使用履歴を出力するモードに設定されたときに、その非接触券の使用履歴をプリントアウトして出力するか又は通信回線を介して配信するかを選択する選択手段と、前記非接触券の使用履歴をプリントアウトして出力することが選択されたときに、その非接触券の使用履歴をプリントアウトするプリントアウト手段と、前記非接触券の使用履歴を通信回線を介して配信することが選択されたときに、その非接触券の使用履歴を通信回線を介して配信する配信手段と、を有することを特徴としている。
本発明の請求項２に記載の券売機システムは、非接触券の使用履歴を通信回線を介して行われる配信は、登録された通信日が到来したときに行われるものであることを特徴とするしている。
本発明の請求項３に記載の券売機システムは、非接触券の使用履歴のデータは、自動券売機の本体を管理する上位装置に記憶されるものであることを特徴としている。
本発明の請求項４に記載の券売機システムは、非接触券の使用履歴を通信回線を介して行う配信先は、携帯電話機であることを特徴としている。
【発明の効果】
【０００７】
本発明の請求項１に記載の券売機システムは、自動券売機の本体を非接触券の使用履歴を出力するモードに設定するモード設定手段と、前記自動券売機の本体が非接触券の使用履歴を出力するモードに設定されたときに、その非接触券の使用履歴をプリントアウトして出力するか又は通信回線を介して配信するかを選択する選択手段と、前記非接触券の使用履歴をプリントアウトして出力することが選択されたときに、その非接触券の使用履歴をプリントアウトするプリントアウト手段と、前記非接触券の使用履歴を通信回線を介して配信することが選択されたときに、その非接触券の使用履歴を通信回線を介して配信する配信手段とを有するので、自動券売機を利用して非接触券の使用履歴を利用者が容易に入手することができる。
本発明の請求項２に記載の券売機システムは、非接触券の使用履歴を通信回線を介して行われる配信は、登録された通信日が到来したときに行われるので、登録された通信日が到来すると、利用者は自動的に非接触券の使用履歴を入手することができる。
本発明の請求項３に記載の券売機システムは、非接触券の使用履歴のデータは、自動券売機の本体を管理する上位装置に記憶されるので、上位装置に記憶されている非接触券の使用履歴データを用いて利用者に容易に非接触券の使用履歴を提供することができる。
本発明の請求項４に記載の券売機システムは、非接触券の使用履歴を通信回線を介して行う配信先は、携帯電話機であるので、利用者は、携帯電話機を利用して非接触券の使用履歴を容易に入手することができる。
【発明を実施するための最良の形態】
【０００８】
以下、本発明を実施するための最良の形態を図面に基づいて説明する。図１は、本発明に係る券売機システムの概略構成図であって、図中、ａは自動券売機、ｂは自動精算機及びＧは自動改札機であり、これらは甲駅に設置されている。なお、ここでは、自動券売機ａ、自動精算機ｂ及び自動改札機Ｇは各１台ずつしか示されていないが、実際は、これらは複数台ずつ設置されている。そして、これら駅務機器（ａ，ｂ，Ｇ）は、無線通信機能を備えたＩＣカードからなる非接触券Ｃが使用できる非接触券対応型に構成されている。したがって、これら駅務機器には、非接触券Ｃを処理するためのリーダライタが設けられている。また、図１では、駅は甲駅の一駅しか示されていないが、実際は多数の駅が存在している。
【０００９】
図１中、１は駅制（駅務機器制御装置）であって、上記自動券売機ａ、自動精算機ｂ及び自動改札機Ｇを管理制御するＣＰＵを中心に構成されている。そして、自動券売機ａ及び自動精算機ｂは、駅制１に通信回線を介して直接接続され、自動改札機Ｇは、改札口の係員コーナに設置される監視盤を介して接続されている。
【００１０】
駅制１は、公衆回線網あるいは専用回線からなる通信回線Ｌを介して鉄道会社の本社等の所定の中央（図示の例では本社）に設置されているホストコンピュータからなる中央装置３に接続されている。この中央装置３は、非接触券Ｃを１枚毎に管理できるように構成されている。すなわち、この中央装置３は、非接触券Ｃで入出場が行われる度に、また、その非接触券Ｃで乗車券の購入や精算処理が行われる度に、また、金額の積増しや定期券データの更新が行われる度に、そのときの日時を含めたデータを図示しないメモリに記憶して管理できるように構成されている。図１中、４は、利用者の所持する携帯電話機（ＰＨＳを含む）５の基地局であって、上記通信回線Ｌに接続されている。
【００１１】
図２は、図１では省略されている自動券売機ａの制御器１０のブロック図である。この制御器１０は、自動券売機の本体（以下、「券売機本体」という。上記自動券売機及びこの券売機本体を含めて「ａ」の符号を用いて説明する。）ａを統括的に制御する中央処理部（ＣＰＵ）１１を有している。このＣＰＵ１１は、ＲＯＭ１２に格納されているシステムプログラム及びＲＡＭ１３に格納されているワーキングデータを用いて所定の演算処理を行うように構成されている。そして、このＣＰＵ１１は、図示しないＩ／Ｏユニットを介して口座釦等の所定の信号を入力するとともに、投入金額等の所定の内容を表示するタッチパネル、又は口座釦等の釦群及び表示画面等からなる表示入力ユニット１４と、本発明に係る非接触券Ｃの使用履歴の内容を印字するジャーナルプリンタ等からなる印字ユニット１５と、所定の内容を印字するとともに、所定の磁気データを記録して乗車券を生成して発行する発券ユニット１６と、券売機本体ａに投入された金銭を検銭し、必要に応じて釣銭を排出する金銭処理ユニット１７と、アンテナ１８ａを介して非接触券Ｃに記録されているデータを読取るとともに、その非接触券Ｃに新たなデータを書込むためのリーダライタ１８と、券売機本体ａの上位装置に当たる駅制１側と通信を行うための通信制御部１９とを接続している。なお、ＣＰＵ１１には、上述の各ユニットや各部の外に、係員処理ユニット等も接続されているが、ここでは省略されている。
【００１２】
以下、図３のフローチャートを用いて券売機本体ａの制御動作について説明する。今、非接触券Ｃを所持している利用者が会社の出張旅費精算等のために、非接触券Ｃの使用履歴を必要としているものとする。その利用者によって非接触券Ｃが券売機本体ａのカード挿入口２０（図１参照）に挿入されると、そのカード挿入口２０の内側に設けられているアンテナ１８ａに非接触券Ｃが接近して券売機本体ａ（制御器１０）と非接触券Ｃとの間の交信が開始される（ステップ１００肯定、ステップ１０２。以下、ステップを「Ｓ」とする。）。
【００１３】
券売機本体ａは、表示入力ユニット１４を介して非接触券Ｃの使用履歴を出力する処理モードに設定される。すなわち、表示入力ユニット１４中の非接触券Ｃの使用履歴を要求するための釦が押下されると、券売機本体ａは使用履歴を出力する処理モードに設定される（Ｓ１０４肯定）。この非接触券Ｃの使用履歴を出力するためのモード設定は、非接触券Ｃをカード挿入口２０に挿入する前に行なってもよく、また、非接触券Ｃをカード挿入口２０に挿入したときにタッチパネルに口座釦群と共に表示されている非接触券の使用履歴を選択する選択釦を押下する形で行なってもよい。
【００１４】
非接触券Ｃと券売機本体ａとの間で交信が開始され、かつ、その券売機本体ａが非接触券Ｃの使用履歴を出力するためのモードに設定されると、券売機本体ａに挿入された非接触券Ｃを特定する情報（例えば、非接触券ＣのＩＤ情報。以下、この特定する情報をＩＤとして説明する。）が駅制１及び通信回線Ｌを介して中央装置３に送信される。
【００１５】
また、券売機本体ａの表示入力部１４を介して非接触券Ｃの使用履歴の内容のプリントアウトを希望する旨のプリントアウト釦が押下されると（Ｓ１０６肯定）、中央装置３に記憶されている非接触券ＣのＩＤに係る使用履歴データが通信回線Ｌ及び駅制１を介して制御器１０のＲＡＭ１３に取り込まれる。そして、その取り込まれたデータに基づいて印字ユニット１５を介して非接触券Ｃの使用履歴を印字した用紙２１（図１参照）が発券口２２から発行される（Ｓ１０８）。
【００１６】
用紙２１に印字される非接触券Ｃの使用履歴は、過去に印字した分は除かれる。なぜならば、この用紙２１は交通費の領収書として用いられるものだからである。なお、期間を定めてプリントアウトするような場合でも、例えば、過去１カ月間の使用履歴を印字する場合、過去に一度印字した分と、今回新たに印字される分とを区別して、例えば、印字色を異ならせたり、特別な記号を付して行われ、少なくとも領収書を二重に発行するような事態は防止される。
【００１７】
利用者に表示入力ユニット１４のプリントアウト釦が押下されることなく通信回線を介しての配信を希望する旨の配信釦が押下されたとき（Ｓ１０６否定）、券売機本体ａは配信モードとなり、表示入力ユニット１４の表示画面の内容は非接触券Ｃの使用履歴の通信回線Ｌを介しての、いわゆるｅメールによる配信の登録画面に変化する。そして、表示
入力ユニット１４を介して利用者によって配信先の携帯電話の電話番号やｅメールアドレス等の配信先を特定する情報が入力されるとともに、使用履歴の配信を希望する日、すなわち、通知日が入力される。この通知日は、例えば、会社の毎月の出張旅費の精算日に合わせた日（例えば２５日）とすることができ、この通知日が表示入力ユニット１４を介して入力される（Ｓ１１０）。ここで入力された配信先や配信日の情報は、駅制１及び通信回線Ｌを介して中央装置３の図示しないメモリに記憶される。したがって、中央装置３は、利用者によって登録された通知日が到来すると（Ｓ１１２肯定）、登録された配信先（図示の例では携帯電話機５）に非接触券Ｃに係る使用履歴データが通信回線Ｌ及び基地局４を介して送信される。使用履歴データを受信した携帯電話機５は、その使用履歴データの内容を表示画面に表示して、または、この携帯電話機５を図示しないプリンタに接続して非接触券Ｃの使用履歴をプリントアウトすることができる。なお、この携帯電話機５又は配信先が利用者のパーソナルコンピュータ（パソコン）の場合であっても、配信された使用履歴は領収書の性質を有しているので、過去に一度配信したデータを再度配信しないようにしたり、または、２回以上配信するときは、今回の配信と前回の配信とが区別がつくように色分等されて、領収書の二重発行が防止されるように配慮される。
【００１８】
Ｓ１０４否定及びＳ１０６肯定は、非接触券Ｃに記録されているＳＦデータを用いて乗車券を購入する制御動作（Ｓ１１８）を示し、また、Ｓ１０４否定、Ｓ１１６否定及びＳ１２０肯定は、非接触券Ｃに記録されている金額データの積増し、あるいはその非接触券Ｃに記録されている定期券データ等の更新処理（Ｓ１２２）の制御動作を示している。
【図面の簡単な説明】
【００１９】
【図１】本発明の一実施の形態に係る券売機システムの概略構成図である。
【図２】券売機本体の制御器のブロック図である。
【図３】制御動作を示すフローチャートである。
【符号の説明】
【００２０】
ａ  自動券売機（券売機本体）
ｂ  自動精算機
Ｇ  自動改札機
Ｃ  非接触券
１  駅制
２  監視盤
３  中央装置
４  基地局
５  形態電話機
１０  制御器
２１  用紙
２２  発券口
【図１】
2005173692.tif 000003
【図２】
2005173692.tif 000004
【図３】
2005173692.tif 000005